(57)【特許請求の範囲】
【請求項１】
座の下方より後上方に延出する左右１対の背杆の上部に、前面が開口する上下方向を向く凹条を設け、前記凹条に、背板の両側部に形成した上下方向を向く側枠部の下部後面に形成した後向き突部を嵌合して、前記背杆の上部と側枠部の下部とを互いに固着し、かつ前記側枠部の上部を、背杆の上端より背杆とほぼ同一形状をなして上方に連続する形状としたことを特徴とする椅子における背板の取付構造。
【請求項２】
背杆の上部と側枠部の下部とを、止めねじをもって互いに固着した請求項１記載の椅子における背板の取付構造。
【請求項３】
側枠部の上部及び背杆の上部の横断面形状を、前方に開口するＶ字状もしくは半円弧状、またはそれらの中間的な形状とした請求項１または２記載の椅子における背板の取付構造。
【請求項４】
後向き突部を、側枠部の下部後面に突設され、かつ中央のものを最も高寸としたほぼ上下方向を向く複数のリブにより形成した請求項１〜３のいずれかに記載の椅子における背板の取付構造。
【請求項５】
側枠部の上部と下部との間に段差部を形成し、この段差部に、背杆の上端を当接させた請求項１〜４のいずれかに記載の椅子における背板の取付構造。
【請求項６】
背板を、両側近傍に上下方向を向くスリットを形成し、該スリットにより、その外側の剛性の高い側枠部と、内側の可撓性を有する背受け部とを区分するようにして、合成樹脂製材料により一体成形した請求項１〜５のいずれかに記載の椅子における背板の取付構造。
【発明の詳細な説明】
【０００１】
【発明の属する技術分野】
本発明は、座の下方より後上方に延出する左右１対の背杆の上端部に、背板を取り付ける取付構造に関する。
【０００２】
【従来の技術】
従来のこの種の取付構造としては、金属パイプにより形成した左右１対の背杆を、背板の後面または両側面に当接させてねじ止めしたものが一般的である。
【０００３】
【発明が解決しようとする課題】
上述のような従来の背板の取付構造によると、背板に掛る下向きの荷重が、固着手段であるねじ等に直接掛るので、固着手段の耐久性が悪く、また背杆の上端をキャップやカバーにより覆わなければ体感が悪く、さらに固着手段のみで背板を支持しているので強度的に弱い等の問題がある。
【０００４】
本発明は、従来の技術が有する上記のような問題点に鑑み、左右の背杆の上端部に、背板を強固に、体裁良く、かつ簡単に取り付けることができるとともに、耐久性のよい椅子における背板の取付構造を提供することを目的としている。
【０００５】
また、本発明は、可撓性を有する背受け部と、その両側部を支持する剛性の高い側枠部とを合成樹脂材料により一体成形して背板を形成することに関連してなされたもので、そのような背板の背杆への最適な取付構造を提供することをも目的としている。
【０００６】
【課題を解決するための手段】
本発明によると、上記課題は次のようにして解決される。
（１）座の下方より後上方に延出する左右１対の背杆の上部に、前面が開口する上下方向を向く凹条を設け、前記凹条に、背板の両側部に形成した上下方向を向く側枠部の下部後面に形成した後向き突部を嵌合して、前記背杆の上部と側枠部の下部とを互いに固着し、かつ前記側枠部の上部を、背杆の上端より背杆とほぼ同一形状をなして上方に連続する形状とする。
【０００７】
（２）上記(１)項において、背杆の上部と側枠部の下部とを、止めねじをもって互いに固着する。
【０００８】
（３）上記(１)または(２)項において、側枠部の上部及び背杆の上部の横断面形状を、前方に開口するＶ字状もしくは半円弧状、またはそれらの中間的な形状とする。
【０００９】
（４）上記(１)〜(３)項のいずれかにおいて、後向き突部を、側枠部の下部後面に突設され、かつ中央のものを最も高寸としたほぼ上下方向を向く複数のリブにより形成する。
【００１０】
（５）上記(１)〜(４)項のいずれかにおいて、  側枠部の上部と下部との間に段差部を形成し、この段差部に、背杆の上端を当接させる。
【００１１】
（６）上記(１)〜(５)項のいずれかにおいて、背板を、両側近傍に上下方向を向くスリットを形成し、該スリットにより、その外側の剛性の高い側枠部と、内側の可撓性を有する背受け部とを区分するようにして、合成樹脂製材料により一体成形する。
【００１２】
【発明の実施の形態】
以下、本発明の一実施形態を、添付図面を参照して説明する。
図１に示すように、中心部から放射状に延出する支持脚(１)の先端部には、キャスタ(２)がそれぞれ設けられ、支持脚(１)の中心部には、脚柱(３)が立設され、かつ脚柱(３)の上端には、支基(４)が固着されている。
【００１３】
支基(４)には、側面視Ｌ字状をなして後上方に延出し、背板(５)を支持する左右１対の背杆(６)の下部前端が、左右方向を向く軸(７)をもって枢着され、背板(５)及び背杆(６)は、支基(４)内に設けられた弾性リクライニング機構(図示略)により、図１に示す起立位置から後方へ、所望角度傾動しうるようになっている。
【００１４】
支基(４)の上方には、座(８)が、座受体(９)を介して、背板(５)及び背杆(６)の後傾に連動して、後下方へ移動するようにして支持されている。
【００１５】
座受体(９)の両側部には、左右方向に延出する支杆(9a)を介して、肘掛け(10)が設けられている。
【００１６】
図２以下に示すように、背板(５)は、合成樹脂材料により一体成形されて、正面形がほぼ縦長方形をなし、その両側近傍に上下方向を向く上下のスリット(11)(11a)を切設することにより、スリット(11)(11a)より外側方の部分を、容易に変形しない高剛性の側枠部(12)とし、スリット(11)(11a)より内方の部分を、可撓性を有する低剛性の背受け部(13)としてある。なお、上方のスリット(11)の上下の端部は閉じられ、下方のスリット(11a)の上端は閉じられ、下端は背板(５)の下端に開口している。
【００１７】
側枠部(12)のほぼ中央より上部(12a)は、前面が開口するほぼＶ字状もしくは半円弧状、またはそれらの中間的な形状とすることにより、同部の前後方向の厚さを大として、剛性を高めてある。
【００１８】
側枠部(12)のほぼ中央より下部(12b)には、前面が平板状をなし、かつ後面に、中央のものを高寸とした上下方向を向く複数(図示の例では３条)のリブ(14)を突設することにより、後方に向かって山形に突出する後向き突部(15)が形成されている。
【００１９】
上記下部(12b)の後面上下２個所には、後方に向かって突出するボス(16)が形成され、このボス(16)の中央には、その後端から背杆部(12)の前面まで貫通するねじ挿通孔(17)が穿設されている。
【００２０】
左右の背杆(６)は、アルミニウム軽合金またはその他の金属材料によりなり、その上部の前面に前方に開口する上下方向を向く凹条(6a)を形成することにより、上部の横断面形状を、前面が開口するほぼＶ字状もしくは半円弧状、またはそれらの中間的な形状としてある。
【００２１】
上記凹条(6a)に、側枠部(12)の下部(12b)における後向き突部(15)を嵌合し、背杆(６)の上端を、側枠部(12)における上部(12a)と下部(12b)との段差部(12c)に当接し、かつ前面より各ねじ挿通孔(17)に挿通した止めねじ(18)(図７参照)を、背杆(６)における上記ボス(16)と対応する部分に設けたボス部(19)の中央におけるねじ孔(20)に螺合することにより、側枠部(12)の下部(12b)は、背杆(６)の上部に強固に結合されている。
【００２２】
背杆(６)の上部における後面から外側面にかけては、低段部(21)が形成されており、ここに、外面形状が側枠部(12)の上部(12a)の一部とほぼ同一形状をなし、かつ低段部(21)の深さとほぼ同一厚さとした弾性を有する合成性樹脂製またはゴム等の材料のカバー(22)を嵌合し、このカバー(22)の前面に突設され、かつ先端部に弾性変形可能な係止爪(23)を有する係合突起(24)を、背杆(６)の後面要所に穿設した係合孔(25)に嵌合することにより、カバー(22)は背杆(６)に止着されている。
【００２３】
カバー(22)を背杆(６)に装着したことにより、背杆(６)に穿設されたねじ孔(20)の後端が覆われて、体裁がよくなるとともに、金属製である背杆(６)は防護されて、背杆(６)が机やキャビネット等に衝突して、それらを損傷させるのを防止することができる。
【００２４】
かくして、背板(５)の側枠部(12)は、本来の背杆(６)の一部または延長部をなし、背板(５)の両側部を強固に支持するフレームの役目をしている。
【００２５】
図１に示すように、背板(５)の側枠部(12)と背杆(６)とカバー(22)とは、互いに一体となって、全体として、ゆるやかなＳ字状を呈し、洗練された外観を呈している。
【００２６】
背板(５)における背受け部(13)の前後方向の厚さは、側枠部(12)の前後方向の厚さより小としてあり、それによって、背受け部(13)に可撓性を持たせてある。
【００２７】
背受け部(13)の上下方向の中間部には、中央と左右の３個の可撓片(26)を残して他を切除することにより、屈曲部(27)が形成されている。
【００２８】
この屈曲部(27)の存在により、背受け部(13)は、上部(13a)と下部(13b)とに区分され、着座者が背受け部(13)に強く凭れたとき、特に背板(５)を後傾させた状態でそのようにしたとき、屈曲部(27)が他部より後方に移動して、上部(13a)と下部(13b)とが側面視く字状に屈曲する。それによって、背板(５)を後傾させても、着座者の頭が後傾しないで、ほぼ垂直に維持され、楽な姿勢で、目線を常に前方を向くように維持することができる。
【００２９】
各可撓片(26)は、側面視において、頂部が前方を向く山形またはＵ字状としてある。それによって、上部(13a)下部(13b)とは、可撓片(26)の頂部を回動中心として、互いに屈曲し易くなる。すなわち、可撓片(26)をその頂部が後方を向くように配設すると、背受け部(13)の上述のような屈曲時に、可撓片(26)が閉じ勝手となり、その頂部に上下方向の引張力が作用し、上下部(13a)(13b)が屈曲しにくくなるが、本実施形態のようにすると、可撓片(26)が開き勝手となり、上下部(13a)(13b)が屈曲し易くなる。
【００３０】
背受け部(13)の上部(13a)及び下部(13b)には、横長六角形またはその他の任意の形状の多数の肉抜き孔(28)(または薄肉部としてもよい)が穿設され、全体をメッシュ状とすることにより、上部(13a)及び下部(13b)の可撓性をさらに高めるようにしてある。
【００３１】
背板(５)の上端縁には、後方に向かって延出する屈曲片(29)が設けられている。この屈曲片(29)により、背板(５)の上端の剛性が高められ、屈曲片(29)が上部フレームとして機能するとともに、後述するクッション体(30)の上縁を係止させるための突片としての機能と、椅子を移動する際の取手としての機能をも果たすことができる。
【００３２】
背受け部(13)の下部(13b)の下端部は、左右のスリット(11a)によりフレーム部(12)から完全に切り離されて前下方に延出し、座(８)の後端に連結されている。
【００３３】
クッション体(30)は、背板(５)の前面全体をほぼ覆うような形状をなし、その上端に、背板(５)の屈曲片(29)の後端を巻き込む巻き込み部(30a)が形成されている。
【００３４】
【発明の効果】
本発明によると、次のような効果を奏することができる。
請求項１記載の発明によると、側枠部の下部の後向き突部が背杆の上部の凹条に嵌合することにより、側枠部が背杆に強固に結合されるとともに、側枠部の上部が背杆の上端より同一形状をなして上方に延出することにより、側枠部が背杆の一部または延長部をなし、背板全体を強力に支持することができる。
【００３５】
請求項２記載の発明によると、背杆の上部と側枠部の下部とを、単純な構造で、しかも強固に結合することができる。
【００３６】
請求項３記載の発明によると、側枠部の上部と背杆の上部との強度を向上させることができる。
【００３７】
請求項４記載の発明によると、少ない材料で高強度の後向き突部を形成することができる。
【００３８】
請求項５記載の発明によると、背板に掛る下向きの荷重を、段差部を介して背杆の上端で受けることができるので、背杆に曲げモーメントが掛りにくく、また背杆と背板の側枠部との固着手段、例えば止めねじ等に応力が集中するのを防止することができるとともに、その固着作業時に、背板と背杆とを位置決めすることができる。
【００３９】
請求項６記載の発明によると、従来は別材料により個別に形成していた背凭れのフレームと背当てとを、合成樹脂材料により背板として一体成形することすができ、製造工程の短縮、及び製造コストの低減をは図ることができる。
ができる。
【図面の簡単な説明】
【図１】本発明の一実施形態を備える椅子の側面図である。
【図２】同じく、背面図である。
【図３】同じく、背板の前方斜視図である。
【図４】同じく、背板の左半部の背面図である。
【図５】同じく、背板の側面図である。
【図６】同じく、背杆とカバーとの分解斜視図である。
【図７】図４のVII−VII線に沿う横断分解平面図である。
【図８】図４のVIII−VIII線に沿う横断分解平面図である。
【符号の説明】
(１)支持脚
(２)キャスタ
(３)脚柱
(４)支基
(５)背板
(６)背杆
(6a)凹条
(７)軸
(８)座
(９)座受体
(9a)支杆
(10)肘掛け
(11)(11a)スリット
(12)側枠部
(12a)上部
(12b)下部
(12c)段差部
(13)背受け部
(13a)上部
(13b)下部
(14)リブ
(15)後向き突部
(16)ボス
(17)ねじ挿通孔
(18)止めねじ
(19)ボス
(20)ねじ孔
(21)低段部
(22)カバー
(23)係止爪
(24)係合突起
(25)係合孔
(26)可撓片
(27)屈曲部
(28)肉抜き孔
(29)屈曲片
(30)クッション体
(30a)巻き込み部
【図１】
0004427178.tif 000002
【図２】
0004427178.tif 000003
【図３】
0004427178.tif 000004
【図４】
0004427178.tif 000005
【図５】
0004427178.tif 000006
【図６】
0004427178.tif 000007
【図７】
0004427178.tif 000008
【図８】
0004427178.tif 000009